(57)【要約】【課題】  横倒ししても水漏れすることなく、迅速に包装作業を行える花包装用保水袋及び花用包装材の提供。【解決手段】  底辺部及び両側辺部が閉じられた袋状に形成されるとともに、上辺部の一方の側部が閉鎖され、他方の側部に花の茎部が挿入される挿入口１４が偏って形成された袋本体１２と、挿入口１４の開口縁部に支持された鍔状支持部１３とを備え、袋本体１２が、不透水性の外袋材１６と、外袋材１６の内側に重ね合わされた保水性を有する内袋材１７とをもって構成されている。【選択図】  図２
2006124028.tif 000002
【特許請求の範囲】
【請求項１】
上部に開口した挿入口を有する袋状に形成された袋本体と、該袋本体の挿入口縁部に支持され、該挿入口と連続配置に形成された挿通孔を有する鍔状支持部とを備え、
前記袋本体が、不透水性の外袋材と、該外袋材の内側に重ね合わされる保水性を有する内袋材とをもって構成されたことを特徴としてなる花包装用保水袋。
【請求項２】
内袋材は、保水性を有する不織布をもって構成された請求項１に記載の花包装用保水袋。
【請求項３】
内袋材は、外袋材の内側に、所定の間隔を置いて平行配置された線状ラミネートを介して貼り合わされた請求項１又は２に記載の花包装用保水袋。
【請求項４】
袋本体は、底辺部及び両側辺部が閉じられた袋状に形成されるとともに、上辺部の一方の側部が閉鎖されて挿入口が偏って形成された請求項１、２又は３に記載の花包装用保水袋。
【請求項５】
袋本体は、底辺部に互いに重ね合わされ内側に折り畳まれたまち部を備えた請求項４に記載の花包装用保水袋。
【請求項６】
鍔状支持部の表面を合成樹脂ラミネート層で被覆した請求項１〜４又は５に記載の花包装用保水袋。
【請求項７】
袋本体は、挿入口縁に折り返し部を一体に備え、該折り返し部を鍔状支持部の挿通孔を通して折り返し、前記鍔状支持部表面に重ね合わせ、該鍔状支持部表面の合成樹脂ラミネート層と前記折り返し部とを熱融着させた請求項６に記載の花包装用保水袋。
【請求項８】
平板状の基板と、該基板の両端縁に連接された両端板と、前記基板の両側辺に連接された両側板とをもって箱状に構成され、箱底部に花が保持される保持部を配し、該保持部が前記端板を前記基板に対して立ち上げることに連動して立体的に形成されるようにした包装箱と、
上部に開口した挿入口を有する袋状に形成された袋本体と、該袋本体の挿入口縁部に支持され、該挿入口と連続配置に形成された挿通孔を有する鍔状支持部とを有し、前記袋本体が、不透水性の外袋材と、該外袋材の内側に重ね合わされる保水性を有する内袋材とをもって構成された花包装用保水袋とを備え、
前記鍔状支持部を前記保水部の上面に支持させ、前記花包装用保水袋を前記保持部に保持させるようにしたことを特徴としてなる花用包装材。
【請求項９】
保持部は、上面に花包装用保水袋が挿入される花保持孔を有する請求項８に記載の花用包装材。
【請求項１０】
保持部は、花保持孔より連続し、袋本体の側部が嵌り込む嵌合孔を備えた請求項９に記載の花用包装材。
【発明の詳細な説明】
【技術分野】
【０００１】
本発明は、生花の鮮度を保つことができる花包装用保水袋及び花用包装材に関する。
【背景技術】
【０００２】
従来、生花は、一定本数を紐等で束ね、茎部の先端に含水させた保水シートを巻き付け、その保水シートの上から不透水性の容器を被せるようにし、その状態で段ボール箱に収容して出荷するようになっており、このようにすることによって、流通過程において店頭に並ぶまでに要する期間等、一定期間の生花の鮮度を保つようにしている。
【発明の開示】
【発明が解決しようとする課題】
【０００３】
しかし、上述の如き従来の技術では、段ボール箱を横向きにすると保水部材より水が漏れ出してしまうため、運送や保管を箱を立てた状態で行わなければならず、運送や保管する際の箱の配置が制約されて不便であるという問題があった。
【０００４】
また、茎部に保水シートを巻き付け、更にその上から容器を被せなければならず、包装作業が煩わしいという問題があった。
【０００５】
そこで本発明は、上述の従来技術の問題を鑑み、横倒ししても水漏れすることなく、迅速且つ容易に包装作業を行える花包装用保水袋及び花用包装材の提供を目的とする。
【課題を解決するための手段】
【０００６】
上述の如き従来の問題を解決し、所期の目的を達成するための請求項１に記載の発明は、上部に開口した挿入口を有する袋状に形成された袋本体と、該袋本体の挿入口縁部に支持され、該挿入口と連続配置に形成された挿通孔を有する鍔状支持部とを備え、前記袋本体が、不透水性の外袋材と、該外袋材の内側に重ね合わされる保水性を有する内袋材とをもって構成された花包装用保水袋であることを特徴とする。
【０００７】
請求項２に記載の発明は、請求項１の構成に加え、内袋材は、保水性を有する不織布をもって構成されたことを特徴とする。
【０００８】
請求項３に記載の発明は、請求項１又は２の構成に加え、内袋材は、外袋材の内側に、所定の間隔を置いて平行配置された線状ラミネートを介して貼り合わされたことを特徴とする。
【０００９】
請求項４に記載の発明は、請求項１、２又は３の構成に加え、袋本体は、底辺部及び両側辺部が閉じられた袋状に形成されるとともに、上辺部の一方の側部が閉鎖されて挿入口が偏って形成されたことを特徴とする。
【００１０】
請求項５に記載の発明は、請求項４の構成に加え、袋本体は、底辺部に互いに重ね合わされ内側に折り畳まれたまち部を備えたことを特徴とする。
【００１１】
請求項６に記載の発明は、請求項１〜４又は５の構成に加え、鍔状支持部の表面を合成樹脂ラミネート層で被覆したことを特徴とする。
【００１２】
請求項７に記載の発明は、請求項６の構成に加え、袋本体は、挿入口縁に折り返し部を一体に備え、該折り返し部を鍔状支持部の挿通孔を通して折り返し、前記鍔状支持部表面に重ね合わせ、該鍔状支持部表面の合成樹脂ラミネート層と前記折り返し部とを熱融着させたことを特徴とする。
【００１３】
請求項８に記載の発明は、平板状の基板と、該基板の両端縁に連接された両端板と、前記基板の両側辺に連接された両側板とをもって箱状に構成され、箱底部に花が保持される保持部を配し、該保持部が前記端板を前記基板に対して立ち上げることに連動して立体的に形成されるようにした包装箱と、
上部に開口した挿入口を有する袋状に形成された袋本体と、該袋本体の挿入口縁部に支持され、該挿入口と連続配置に形成された挿通孔を有する鍔状支持部とを有し、前記袋本体が、不透水性の外袋材と、該外袋材の内側に重ね合わされる保水性を有する内袋材とをもって構成された花包装用保水袋とを備え、
前記鍔状支持部を前記保水部の上面に支持させ、前記花包装用保水袋を前記保持部に保持させるようにした花用包装材であることを特徴とする。
【００１４】
請求項９に記載の発明は、請求項８の構成に加え、保持部は、上面に花包装用保水袋が挿入される花保持孔を有することを特徴とする。
【００１５】
請求項１０に記載の発明は、請求項９の構成に加え、保持部は、花保持孔より連続し、袋本体の側部が嵌り込む嵌合孔を備えたことを特徴とする。
【発明の効果】
【００１６】
本発明に係る花包装用保水袋は、上部に開口した挿入口を有する袋状に形成された袋本体と、該袋本体の挿入口縁部に支持され、該挿入口と連続配置に形成された挿通孔を有する鍔状支持部とを備え、前記袋本体が、不透水性の外袋材と、該外袋材の内側に重ね合わされる保水性を有する内袋材とをもって構成されたことによって、袋内に好適に水を確保することができるとともに、横にしても水漏れがし難い。更に、花の茎部を挿入する際に、鍔状支持部にガイドされて容易に挿入することができる。
【００１７】
内袋材は、保水性を有する不織布をもって構成されたことによって、袋内部に好適に水を確保することができるとともに、保水袋を横向きにして輸送や保管を行う際に、保水袋内に貯留された水と直接接触しなくとも、不織布の毛細管現象により好適に給水することができる。
【００１８】
内袋材は、外袋材の内側に、所定の間隔を置いて平行配置された線状ラミネートを介して貼り合わされたことによって、線状ラミネート間の間隙を通して水が全体に行き渡り易くなり、保水袋内に貯留された水と直接接触しなくとも、好適に給水することができる。
【００１９】
袋本体は、底辺部及び両側辺部が閉じられた袋状に形成されるとともに、上辺部の一方の側部が閉鎖されて挿入口が偏って形成されたことによって、袋内に好適に水を確保することができるとともに、挿入口とは反対側を下にすれば横にしても水漏れがし難い。
【００２０】
袋本体は、底辺部に互いに重ね合わされ内側に折り畳まれたまち部を備えたことによって、好適な幅を確保することができる。
【００２１】
鍔状支持部の表面を合成樹脂ラミネート層で被覆したことによって、鍔状支持部の表面を防水することができる。
【００２２】
袋本体は、挿入口縁に折り返し部を一体に備え、該折り返し部を鍔状支持部の挿通孔を通して折り返し、前記鍔状支持部表面に重ね合わせ、該鍔状支持部表面の合成樹脂ラミネート層と前記折り返し部とを熱融着させたことによって、鍔状支持部を袋本体に堅固に固定することができる。
【００２３】
本発明に係る花用包装材は、平板状の基板と、該基板の両端縁に連接された両端板と、前記基板の両側辺に連接された両側板とをもって箱状に構成され、箱底部に花が保持される保持部を配し、該保持部が前記端板を前記基板に対して立ち上げることに連動して立体的に形成されるようにした包装箱と、上部に開口した挿入口を有する袋状に形成された袋本体と、該袋本体の挿入口縁部に支持され、該挿入口と連続配置に形成された挿通孔を有する鍔状支持部とを有し、前記袋本体が、不透水性の外袋材と、該外袋材の内側に重ね合わされる保水性を有する内袋材とをもって構成された花包装用保水袋とを備え、前記鍔状支持部を前記保水部の上面に支持させ、前記花包装用保水袋を前記保持部に保持させるようにしたことによって、花に水を供給して鮮度を保つことができ、また、花を好適に保持した状態で包装箱内に収容することができる。更に、横向きに倒しても花包装用保水袋より水漏れがし難い。
【００２４】
保持部は、上面に花包装用保水袋が挿入される花保持孔を有することによって、好適に花包装用保水袋を保持部に保持させることができる。
【００２５】
保持部は、花保持孔より連続し、袋本体の側部が嵌り込む嵌合孔を備えたことによって、花保持孔に対して花包装用保水袋を好適な位置に保持することができる。
【発明を実施するための最良の形態】
【００２６】
次に、本発明に係る花用包装材及び花包装用保水袋に関し、図１〜図８について説明する。
【００２７】
図１は、花用包装材の使用状態を示し、図中符号１０は花包装用保水袋、符号１１は包装箱、符号Ａは収容物たる生花束である。
【００２８】
この花用包装材は、生花束Ａの茎部を花包装用保水袋１０に挿入して保水させ、その状態で包装箱１１内に収容するようになっている。
【００２９】
花包装用保水袋１０は、図２〜図７に示すように、底辺部及び両側辺部が閉じられた袋状の袋本体１２と、袋本体１２の上辺部に支持された平板状の鍔状支持部１３とを備えている。
【００３０】
袋本体１２は、底辺部及び両側辺部が閉じられ、上辺部の一方の側部が閉鎖され、他方の側部に挿入口１４が偏って形成されている。
【００３１】
また、袋本体１２の底辺部には、互いに重なり合って内側に折り込まれたまち部１５が形成されている。
【００３２】
この袋本体１２は、図６に示すように、ポリエチレンテレフタレート、ポリプロピレン又はポリエチレン等の不透水性材料からなる外袋材１６の内側に、所定の間隔（５ｍｍ〜１０ｍｍ）をおいて平行配置された複数の線状ラミネート２２，２２…を介して、吸水性不織布等の保水性材料からなる内袋材１７が貼り合わされ、袋本体１２の外側を外袋材１６が構成し、内側を内袋材１７が構成して袋状に形成されている。
【００３３】
この袋本体１２は、外袋材１６を構成するポリエチレン等の不透水性材料からなるシート上に、線状ラミネート加工により、所定の間隔をおいて溶融合成樹脂材を被着させ、その上に内袋材１７を構成する保水性材料からなるシートを重ね合わせてプレスすることにより、不透水性材料シートと線状ラミネートと保水性材料シートとが三層に貼り合わされ、この三層シートを所定の形状に裁断し、その裁断された三層シートを保水性材料が内側となるように底部で折り返し、重ね合わされた縁部（両側縁及び上縁側部）をヒートシールにより溶着させることによって袋状に形成されるようになっている。
【００３４】
また、この袋本体１２の挿入口１４の開口縁部、即ち外袋材１６の開口縁部には、鍔状支持部１３を固定するための貼着片１８が外向きに張り出して一体に形成されている。
【００３５】
鍔状支持部１３には、中央に挿通孔１９が形成されており、この挿通孔１９の位置と袋本体１２の挿入口１４の位置とを合わせ、その位置で貼着片１８を鍔状支持部１３の裏面に貼り付けることにより挿入口１４の開口縁部が鍔状支持部１３を支持するようになっている。
【００３６】
このように構成された花包装用保水袋１０では、袋本体１２の一方の側部、即ち挿入口１４とは反対側の側部に貯留部２０が形成され、貯留部２０を下側にすれば横にしても水漏れしないようになっている。
【００３７】
花包装用保水袋１０を横向きにして運送や保管をするような場合には、図７に示すように、貯留部２０に水が溜まり、花の茎部には直接水が接しない状態となるが、内袋材１７を構成する保水性材料を介して、即ち保水性材料の毛細管現象により貯留部２０の水が花の茎部に給水されるようになっている。
【００３８】
また、内袋材１７を外袋材１６の内側に線状ラミネートを介して貼り合せたことによって、外袋材１６と内袋材１７との間に、線状ラミネート２２，２２に挟まれた間隙２３，２３…が形成され、この間隙２３，２３…を通じて貯留部２０に溜まった水が吸い上げられ内袋材全体に行き渡りやすいようになっている。
【００３９】
尚、袋本体１２の底部には、くず綿等の保水性を有する詰め材２１を詰めることが好ましく、花包装用保水袋１０を横にした場合であっても、この詰め材２１を通して、貯留部２０に溜まった水を花に供給することができるようになっている。
【００４０】
また、この花包装用保水袋１０では、花の茎部を挿入する際、茎部の先端が鍔状支持部１３にガイドされるので、挿入口１４に容易に挿入することができるようになっている。
【００４１】
包装箱１１は、図８に示すように、背板を構成する平板状の基板３０と、基板３０の天底両端縁に連接された天端板３１及び底端板３２と、基板３０の両側辺に連接された両側板３３，３４とをもって箱状に構成され、箱底部に花の茎部が挿入される花保持孔３５を有する保持部３６が配置されている。
【００４２】
また、この包装箱１１には、一方の側板３４の基板３０とは反対側の縁部に折り目を介して蓋板３７が一体に形成されている。
【００４３】
保持部３６は、底端板３２より立ち上げた端板側保持板３８と、端板側保持板３８の基板３０とは反対側の縁部に折り目３９を介して一体に形成された基板側保持板４０と、基板側保持板４０の端板側保持板３８とは反対側の縁部に折り目４２を介して一体に形成された接着片４３とをもって構成されている。
【００４４】
接着片４３は、基板３０の内側面に接着剤等により固着され、基板３０に対し底端板３２を立ち上げると同時に底端板３２に連動して、端板側保持板３８が底端板３２に対して立ち上がり、基板側保持板４０が基板３０に対して立ち上がって保持部３６が立体的に形成されるようになっている。
【００４５】
基板側保持板４０には、中央に花保持孔３５が形成され、この花保持孔３５より基板３０側に向って三角形状の嵌合孔４１が連続して形成されている。
【００４６】
この花保持孔３５に花の茎部が挿入された花包装用保水袋１０を挿入すると、花包装用保水袋１０の鍔状支持部１３が基板側保持板４０に支持されて花包装用保水袋１０全体が保持部３６に保持され、それにより花の茎部が花包装用保水袋１０を介して保持部３６に保持されるようになっている。
【００４７】
また、袋本体１２の側部、即ち貯留部部分が嵌合孔４１に嵌り込み、より安定した状態で保持されるようになっている。
【００４８】
尚、嵌合孔４１が基板３０側に向けて形成されているため、基板３０を底側にして包装箱１１を横向きにしても、花包装用保水袋１０内の水は、貯留部２０に留まり外部に漏れ難いようになっている。
【００４９】
この花用包装材、即ち、花包装用保水袋１０及び包装箱１１を用いて花を包装するには、まず、内袋材１７及び詰め材２１に含水させた花包装用保水袋１０に、複数の生花を束ねた生花束Ａの先端を挿入口１４を通して挿入する。
【００５０】
そして、予め組立てられた包装箱１１の保持部３６、即ち花保持孔３５に生花束Ａの茎部が挿入された花包装用保水袋１０を挿入し、該花包装用保水袋１０の鍔状支持部１３を保持部３６の上面に重ねて支持させるとともに、袋本体１２の側部（貯留部２０部分）を嵌合孔４１に嵌め込んで固定し、保持部３６に花包装用保水袋１０を介して保持させた状態で、包装箱１１内に生花束Ａを収容する。
【００５１】
最後に、蓋板３７を閉じ包装作業が完了する。
【００５２】
尚、花包装用保水袋の形態は、上述した実施例の形態に限られず、例えば、図９、図１０に示す如きものであってもよい。
【００５３】
この花包装用保水袋５０は、上部に開口した挿入口５１を有する袋本体５２と、袋本体５２の挿入口縁部に支持された鍔状支持部５３とを備えている。
【００５４】
袋本体５２は、ポリエチレンテレフタレート、ポリエチレン又はポリプロピレン等、不透水性の合成樹脂シートからなる外袋材５４と、外袋材５４の内側に貼り合わされた吸水性を有する不織布からなる内袋材５５とをもって構成され、図６に示す上述の実施例と同様に、外袋材５４を構成する合成樹脂シートの片面に互いに平行配置に形成された多数の線状ラミネートを介して内袋材５５を構成する不織布を貼り合せたシート材を、その両縁部をヒートシールにより溶着させて筒状となし、挿入口５１を有する部分の両側部を内側に折り込んで平板状とした状態で、両開口端部をそれぞれヒートシールにより閉じることにより両側部に内側に折り込まれたまち部５６，５６を有する袋状に形成されている。
【００５５】
また、挿入口５１の内縁部には、対角線状に切れ目を入れることにより、折り返し部５７，５７…が一体に形成されている。
【００５６】
鍔状支持部５３は、紙板材をもって方形状に形成され、その中央部分には四角形の挿通孔５８が形成されている。
【００５７】
また、鍔状支持部５３の表面は、合成樹脂ラミネート層５９で被覆され、それにより鍔状支持部５３の表面が防水されている。
【００５８】
この鍔状支持部５３は、裏面を袋本体５２の挿入口縁部に接着剤によって固定するとともに、挿通孔５８より折り返し部５７，５７…を表面側に引き出し、それを折り返して挿通孔５８周辺の表面、即ちラミネート層５９に熱融着させ、それにより袋本体５２の挿入口縁部に鍔状支持部５３を堅固に支持させるようになっている。
【００５９】
このように構成された花包装用保水袋５０では、袋本体５２の両端部に貯留部が形成され、貯留部のいずれを下側にしても水漏れしないようになっている。
【００６０】
また、上述の実施例では、花包装用保水袋１０，５０の袋本体を、外袋体の内側に所定の間隔を置いて平行配置された複数の線状ラミネートを介して内袋体を貼り合せた例について説明したが、線状ラミネートを介せず外袋体の内側に内袋材を直接重ね合わせるようにしてもよい。
【００６１】
尚、包装箱１１の形態は、上述の実施例の形態に限られず、平板状の基板と、基板の両端縁に連接された両端板と、両側辺に連接された両側板とをもって箱状に構成され、箱底部に花を保持する保持部を配した包装箱であればよい。
【００６２】
また、上述の実施例では、保持部の上面に花保持孔を形成し、その花保持孔に花包装用保水袋の袋本体を挿入し、それにより鍔状支持部を保持部の上面に支持させるようにしたものについて説明したが、その他、鍔状支持部を保持部の上面に支持させるものであれば、どのような形態であってもよい。
【図面の簡単な説明】
【００６３】
【図１】本発明に係る花用包装材の使用状態を示す斜視図である。
【図２】図１中の花包装用保水袋の一例を示す斜視図である。
【図３】同上の花包装用保水袋を示す斜め下側からの斜視図である。
【図４】同上の花包装用保水袋を示す断面図である。
【図５】図４中のＡ−Ａ線矢視図である。
【図６】図５中の部分拡大Ｂ−Ｂ線矢視図である。
【図７】花包装用保水袋を横にした状態での収容状態を示す断面図である。
【図８】図１中の包装箱の一例を示す斜視図である。
【図９】本発明に係る保水機能付袋の他の一例を示す平面図である。
【図１０】同上の断面図である。
【符号の説明】
【００６４】
Ａ  生花束
１０  花包装用保水袋
１１  包装箱
１２  袋本体
１３  鍔状支持部
１４  挿入口
１５  まち部
１６  外袋材
１７  内袋材
１８  貼着片
１９  挿通孔
２０  貯留部
２１  詰め材
２２  線状ラミネート
２３  間隙
３０  基板
３１  天端板
３２  底端板
３３，３４  側板
３５  花保持孔
３６  保持部
３７  蓋板
３８  端板側保持板
３９  折り目
４０  基板側保持板
４１  嵌合孔
４２  折り目
４３  接着片
５０  花包装用保水袋
５１  挿入口
５２  袋本体
５３  鍔状支持部
５４  外袋材
５５  内袋材
５６  まち部
５７  折り返し部
５８  挿通孔
５９  ラミネート層
【図１】
2006124028.tif 000003
【図２】
2006124028.tif 000004
【図３】
2006124028.tif 000005
【図４】
2006124028.tif 000006
【図５】
2006124028.tif 000007
【図６】
2006124028.tif 000008
【図７】
2006124028.tif 000009
【図８】
2006124028.tif 000010
【図９】
2006124028.tif 000011
【図１０】
2006124028.tif 000012